(57)【特許請求の範囲】
【請求項１】
光学式情報記録媒体に記録された情報をビタビ復号法により復調する光学式情報再生装置において、
前記光学式情報記録媒体にレーザ光を照射し、前記光学式情報記録媒体に記録されたピットに基づいた再生信号を検出する第１の検出手段と、
所定の前記再生信号の最大値、最小値、および前記所定の再生信号のセンター値に対してアシンメトリ量が生じた値を検出する第２の検出手段と、
前記第２の検出手段により検出された前記最大値、最小値、および再生信号のセンター値に対してアシンメトリ量が生じた値を利用したビタビ復号法により、前記再生信号を復調する復調手段と
を備えたことを特徴とする光学式情報再生装置。
【請求項２】
前記第２の検出手段は、前記光学式情報記録媒体に設けられた所定のピットパターンが記録されたリファレンスエリアで、前記最大値、最小値、および再生信号のセンター値に対してアシンメトリ量が生じた値を検出する
ことを特徴とする請求項１に記載の光学式情報再生装置。
【発明の詳細な説明】
【０００１】
【産業上の利用分野】
本発明は、光ディスクに記録された情報をビタビ復号法により復調する光学式情報再生装置に関する。
【０００２】
【従来の技術】
最近のデジタル記録における高密度記録技術の進展には目ざましいものがある。これは、記録媒体と記録ヘッドの高性能化はもちろんのこと、記録符号、信号検出方式、復号法等の信号処理方式の改良に負うところが大きい。書換可能な大容量光メモリとして注目されている光磁気記録においても、近年、信号処理方式の検討が盛んである。
【０００３】
光磁気ディスクにおける磁界変調方式は、オーバライトが可能であると共に高密度エッジ記録に適した方式である。すでにレーザパルス発光磁界変調方式と共に、サンプルサーボとＮＲＺＩ符号との組み合わせにより高密度化が可能なことが報告されている。さらに、高密度化を図る方法としてパーシャルレスポンス、及び、ビタビ復号法が知られており、記録符号としてＮＲＺＩ符号を用い、ＰＲ方式の１種であるＰＲ（１，１）方式とビタビ復号法の組み合わせについて種々検討されてきている。
【０００４】
ビタビ復号法による検出は、再生信号（ＲＦ信号）の遷移状態の情報により最も確からしいデータ系列を選んで検出する方法であり、レーザの短波長化のような物理的なものと異なり、信号処理により高密度化をもたらす方法である。したがって、ビット毎の検出に比べその検出能力が高いとされている。
【０００５】
光ディスクにおいて、そのＲＦ信号は、記録ビットパターンによって符号間干渉を起こし、３値をとることになり、ビタビ復号法による検出は、３値の遷移状態の情報により最も確からしいデータ系列を選んで検出することになる。
【０００６】
【発明が解決しようとする課題】
しかしながら、光ディスクのＲＯＭピットの形成時や光変調記録による情報ピットの形成時においては、レーザの書き込みパワーの変動により、ＲＦ信号のアシンメトリ量が変動する。このアシンメトリ量の変動により、ビタビ復号法による検出においても、誤差が生じ検出能力が低下する虞がある。
【０００７】
本発明は、上記事情に鑑みてなされたものであり、書き込みパワーの変動により、ＲＦ信号のアシンメトリ量が変動する場合においても、ビタビ復号法によりＲＦ信号の遷移状態の情報に基づいて最も確からしいデータ系列を選んで、確実且つ簡単に情報の検出を行うことのできる光学式情報再生装置を提供することを目的としている。
【０００８】
【課題を解決するための手段】
本発明の光学式情報再生装置は、光学式情報記録媒体にレーザ光を照射し、光学式情報記録媒体に記録されたピットに基づいた再生信号を検出する第１の検出手段と、所定の再生信号の最大値、最小値、および所定の再生信号のセンター値に対してアシンメトリ量が生じた値を検出する第２の検出手段と、第２の検出手段により検出された最大値、最小値、および再生信号のセンター値に対してアシンメトリ量が生じた値を利用したビタビ復号法により、再生信号を復調する復調手段とを備えたことを特徴とする。
【０００９】
第２の検出手段は、光学式情報記録媒体に設けられた所定のピットパターンが記録されたリファレンスエリアで、最大値、最小値、および再生信号のセンター値に対してアシンメトリ量が生じた値を検出することができる。
【００１０】
【作用】
本発明においては、光学式情報記録媒体にレーザ光を照射し、光学式情報記録媒体に記録されたピットに基づいた再生信号が検出され、所定の再生信号の最大値、最小値、および所定の再生信号のセンター値に対してアシンメトリ量が生じた値が検出され、検出された最大値、最小値、および再生信号のセンター値に対してアシンメトリ量が生じた値を利用したビタビ復号法により、再生信号が復調される。
【００１２】
【実施例】
以下、図面を参照しながら本発明の実施例について述べる。
図１に示すように、本実施例の光ディスク記録再生装置１は、スピンドルモータ２により回転する追記型の光ディスク３の記録面にレーザ光を照射することにより情報を光変調記録する光学ヘッド５を備えている。
【００１３】
記録データ生成回路６は、入力データに基づいて記録データを生成し、この記録データは変調回路７に出力され、この変調回路７で変調された変調記録データはレーザ駆動回路８に出力され、前記光学ヘッド５が内蔵する例えばレーザダイオード（図示せず）を駆動するようになっている。
【００１４】
また、前記光学ヘッド５は記録時よりもパワーの小さいレーザ光を前記光ディスク３に照射し、その戻り光よりＲＦ信号を検出する図示しないディテクタを備えている。光学ヘッド５により検出されたＲＦ信号は、アンプ９を介してＰＬＬ回路１０及びＡ／Ｄ変換回路１１に入力されている。ＰＬＬ回路１０は、光ディスク３に予め記録されたプリピットであるクロックピットに同期したクロックをを生成すると共に、このクロックをデータＰＬＬ回路１２に出力する。データＰＬＬ回路１２は前記クロックに基づいたデータクロック信号を生成し、このデータクロック信号に同期して前記記録データ生成回路６は、入力データに基づいて記録データを生成するようになっている。データクロック信号は、タイミングジェネレータ１３にも入力されており、このタイミングジェネレータ１３はデータクロック信号に基づいて各種タイミング信号を生成するようになっている。
【００１５】
また、データクロック信号は遅延回路１４を介して前記Ａ／Ｄ変換回路１１に入力されており、前記Ａ／Ｄ変換回路１１は遅延されたデータクロック信号に同期してＲＦ信号をＡ／Ｄ変換する。さらにＡ／Ｄ変換された信号は、デジタルイコライザ１５により整形され、デジタルＲＦ信号が生成される。アシンメトリ検出回路１６は、前記タイミングジェネレータ１３からのタイミング信号に基づいて、後述する光ディスク３のリファレンスエリアでのデジタルＲＦ信号により、アシンメトリを検出するようになっている。さらに、デジタルＲＦ信号は、アシンメトリ検出回路１６により検出されたアシンメトリによりビタビ検出回路１７で復調される。
【００１６】
前記光ディスク３は、同心円状またはスパイラル状の複数のトラックから構成されており、このトラックは、図２に示すような複数のセクタ３０に分割されており、このセクタ３０単位で情報の記録再生が行われるようになっている。前記セクタ３０は、複数のセグメントからなり、各セグメントは、クロックピット等のプリピットからなるサーボエリア３１と、所定のピットパターンを記録したリファレンスエリア３２と、データが記録されるデータエリア３３とから構成されている。
【００１７】
但し、リファレンスエリア３２は各セグメント毎に設けるのではなく、セクタ３０に１個所だけ設けるようにすることもできる。
【００１８】
前記リファレンスエリア３２に記録された所定のピットパターンは、図３（ａ）に示すように、ピットが”０、０、０、０…”からなる第１パターンＰａと、ピットが”１、０、１、０…”からなる第２パターンＰｂと、ピットが”１、１、１、１…”からなる第３パターンＰｃとからなり、この所定のピットパターンでのＲＦ信号は、図３（ｂ）のようになる。
【００１９】
すなわち、第１パターンＰａではピットがないのでＲＦ信号のレベルは最も大きい値Ｌａとなり、第３パターンＰｃでは最も小さい値Ｌｃになる。一方、第２パターンＰｂでのＲＦ信号は、理想的にはＬａとＬｃのセンター値（＝（Ｌａ＋Ｌｃ）／２）となるはずであるが、レーザ光の書き込みパワーの変動により、形成されるピットの大きさが変化するので、ＲＦ信号のセンター値に対しアシンメトリ量が生じた値Ｌｂとなる。したがって、前記アシンメトリ検出回路１６は、このアシンメトリとして、Ｌａ，Ｌｂ，Ｌｃを検出するようになっている。そして、この検出結果を、ビタビ検出回路１７に出力する。ビタビ検出回路１７は、この検出結果を基にに、次のようにして、ビタビ復号を行う。
【００２０】
次に、ビタビ検出回路１７の作用について説明する。
【００２１】
ＰＲ（１，１）法によれば、ＲＦ信号はピットパターンによって符号間干渉を起こしているので、図４に示すように、α、０、−β（図３（ｂ）において、α＝Ｌａ、０＝Ｌｂ、−β＝Ｌｃ）の３値をとる。ビタビ復号法では、入力ビットＡｋに対する出力Ｙｋは、
（Ａｋ，Ａｋ−１）＝（１，１）ならば、
Ｙｋ＝α    ……    （１）
（Ａｋ，Ａｋ−１）＝（１，−１）ｏｒ（−１，１）ならば、
Ｙｋ＝０    ……    （２）
（Ａｋ，Ａｋ−１）＝（−１，−１）ならば、
Ｙｋ＝−β    ……（３）
となる。
【００２２】
したがって、Ａｋが＋１である可能性Ｌｋ（＋）（尤度：ｌｉｋｅｌｉｈｏｏｄ）は、
0003558168.tif 000002
となる。ここでｍａｘ｛ａ，ｂ｝は、ａ，ｂのうち大きい方を選択することを意味する。Ｌｋ（＋）はＡｋが＋１である可能性を示すものであり、式（４）中の（Ｙｋ−α）２は、出力Ｙｋと予想される信号レベルαとの自乗誤差であるので、Ｌｋ（＋）はこの自乗誤差が小さいほど大きくなる。したがって、
Ａ＝Ｌｋ−１（＋）＋［−（Ｙｋ−α）２］  ……    （５）
Ｂ＝Ｌｋ−１（−）＋［−（Ｙｋ−０）２］  ……    （６）
とすると、図５（ａ）に示すような入力ビットＡｋの遷移に対して、図５（ｂ）に示すように、Ａｋ−１＝＋１でＡｋ＝＋１であるパターンの場合、Ｌｋ（＋）＝Ａとなり、また図５（ｃ）に示すように、Ａｋ−１＝−１でＡｋ＝＋１であるパターンの場合、Ｌｋ（＋）＝Ｂとなる。
【００２３】
同様に、Ａｋが−１である可能性Ｌｋ（−）は、
0003558168.tif 000003
である。ここで
Ｃ＝Ｌｋ−１（＋）＋［−（Ｙｋ−０）２］  ……    （８）
Ｄ＝Ｌｋ−１（−）＋［−（Ｙｋ＋β）２］  ……    （９）
とする。
【００２４】
次に、Ｌｋ（＋）とＬｋ（−）のどちらが可能性が高いかを調べるために、
ΔＬｋ＝Ｌｋ（＋）−Ｌｋ（−）          ……（１０）
を求めることにより、データの遷移パスを決定することができる。
（ｉ）Ａ＞Ｂ、Ｃ＞Ｄ
すなわち、ΔＬｋ−１＋２αＹｋ−α２＞０、且つ
ΔＬｋ−１＋２βＹｋ＋β２＞０  ……（１１）
のとき、ΔＬｋ＝２αＹｋ−α２
（ｉｉ）Ａ＜Ｂ、Ｃ＞Ｄ
すなわち、ΔＬｋ−１＋２αＹｋ−α２＜０、且つ
ΔＬｋ−１＋２βＹｋ＋β２＞０  ……（１２）
のとき、ΔＬｋ＝−ΔＬｋ−１
（ｉｉｉ）Ａ＜Ｂ、Ｃ＜Ｄ
すなわち、ΔＬｋ−１＋２αＹｋ−α２＜０、且つ
ΔＬｋ−１＋２βＹｋ＋β２＜０  ……（１３）
のとき、ΔＬｋ＝２βＹｋ＋β２
となる。
【００２５】
したがって、ビタビ検出回路１７は式（１１）、（１２）、（１３）を演算することにより、式（１１）が成り立つときは、図６（ａ）に示すパターン遷移となり、式（１２）が成り立つときは、図６（ｂ）に示すパターン遷移となり、さらに、式（１３）が成り立つときは、図６（ｃ）に示すパターン遷移となってデータの遷移パスを決定することができる。
【００２６】
このように、本実施例の光ディスク記録再生装置１によれば、ＲＦ信号のアシンメトリを検出し、このアシンメトリに基づいてビタビ復号法によりデータの復調を行っているので、レーザ光の書き込みパワーによって生じるＲＦ信号のアシンメトリに対しても、簡単な回路構成でデータを復調することができる。
【００２７】
尚、上記実施例では記録媒体を追記型光ディスクとしたが、これに限らず、この光ディスクは予め情報が記録されたＲＯＭディスクでもよく、光ディスク作成時の書き込みパワーの変動によって生じるＲＦ信号のアシンメトリ量に対して補正テーブルを生成し、この補正テーブルに基づいてＲＦ信号を補正してビタビ復号法によりデータの復調するＲＯＭディスク再生装置に適用できることは言うまでもない。
【００２８】
【発明の効果】
本発明によれば、例えば、書き込みパワーの変動により、ＲＦ信号のアシンメトリ量が変動する場合においても、ビタビ復号法によりＲＦ信号の遷移状態の情報に基づいて最も確からしいデータ系列を選んで、確実且つ簡単に情報の検出を行うことができるという効果がある。
【図面の簡単な説明】
【図１】本発明の光ディスク再生装置の一実施例の構成を示すブロック図である。
【図２】図１の光ディスクのセクタの構成を示す図である。
【図３】図１の光ディスク再生装置により再生されるＲＦ信号を説明する説明図である。
【図４】図１のビタビ検出回路１７によるビタビ復号法を説明するためのＲＦ信号の波形図である。
【図５】図１のビタビ検出回路１７によるビタビ復号法において、入力ビットの遷移に対する出力の状態を説明する説明図である。
【図６】図１のビタビ検出回路１７によって決定されるデータの遷移パスを説明する説明図である。
【符号の説明】
１  光ディスク記録再生装置
３  光ディスク
５  光学ヘッド
１０  ＰＬＬ回路
１２  データＰＬＬ回路
１３  タイミングジェネレータ
１６  アシンメトリ検出回路
１７  ビタビ検出回路
【図１】
0003558168.tif 000004
【図２】
0003558168.tif 000005
【図３】
0003558168.tif 000006
【図４】
0003558168.tif 000007
【図５】
0003558168.tif 000008
【図６】
0003558168.tif 000009